(57)【特許請求の範囲】
【請求項１】
背部、歯部、及び前記背部に埋設された心線を備える歯付きベルトと、前記歯部と噛み合う歯溝部が設けられたプーリとを備え、ベルト張力によって小径のプーリ間に巻き掛けられた際の前記プーリの軸にかかる荷重である軸荷重が、５〜１５Nとなる条件で使用される、ベルトシステムであって、
前記背部及び歯部はウレタン樹脂組成物を含み、
前記心線は、ガラス繊維フィラメント群からなる撚りコード、又は、ポリアリレート繊維フィラメント群からなる撚りコードであり、
前記心線が、ガラス繊維フィラメント群からなる撚りコードである場合、
ピッチ円直径が、５．７３０〜５．８２１ｍｍのプーリ間に巻き掛けられる歯付きベルトであり、
前記歯部のピッチは、０．４５〜０．６０ｍｍ、
前記ガラス繊維フィラメントの直径が６〜９ミクロン、
前記心線の線径が０．１４〜０．２０ｍｍであり、
前記心線が、ポリアリレート繊維フィラメント群からなる撚りコードである場合、
ピッチ円直径が、５．７３０〜５．８４０ｍｍのプーリ間に巻き掛けられる歯付きベルトであり、
前記歯部のピッチは、０．４５〜０．７１ｍｍ、
前記心線の線径が０．１４〜０．２８ｍｍであり、
平均的な回転速度Ｖ0に対する回転速度の変動量ΔＶの百分率として、下記（１）式によって定義されるベルト速度変動率が０．４０％以下である、
ことを特徴とする、ベルトシステム。
ベルト速度変動率＝（ΔＶ／Ｖ0）×１００（％）・・・（１）
【請求項２】
請求項１に記載のベルトシステムに用いられることを特徴とする歯付きベルト。
【発明の詳細な説明】
【技術分野】
【０００１】
本発明は、プリンター等のＯＡ機器、その他一般産業用に用いられる、プーリ間における同期伝動が可能なベルトシステム及びそのベルトシステムで使用する歯付きベルトに関する。
【背景技術】
【０００２】
従来、インクジェットプリンタに代表されるキャリッジ駆動やアクチュエーターのようなワークの往復動作を伴う精密駆動には高い位置決め精度が要求されるため、同期伝動が可能な歯付きベルトが用いられている。特に、プリンターにおいては、近年、高品質なカラー印刷やその高速処理対応の製品化が急速に進んでいる。そして、印字むら等を引き起こさないように、高精度の位置決めをするためには、かみ合い周期におけるベルト速度変動（速度むら）を小さくすることが要求されている。また、高品質なカラー印刷やその高速処理技術が進歩すると、歯付ベルトを同期伝動させる際に発音性が問題になる場合がある。例えば、ＯＡ機器等の筐体の固有振動数と歯付ベルトのかみ合い周波数が一致した場合に共振によって筐体が発音し、ＯＡ機器等、静粛性が必要とされる用途において問題となる。
【０００３】
ベルト速度変動（速度むら）を小さくする技術として、心線にガラス心線を用いた歯ピッチ０．６５〜０．８５ｍｍの歯付きベルトが開示されている（特許文献１）。特許文献１には、細いガラス繊維を用いて細い線径に撚ったガラス心線を用いた小歯ピッチの歯付きベルトとすることにより、寸法安定性の確保と十分な屈曲対応を図るとともに、ベルト速度変動を抑えることが可能なため、小径プーリに使用できることからモータの小型化を実現でき、装置の小型・軽量化および省電力化に寄与する旨が開示されている。
【０００４】
ここで、プーリを小型化すると、プーリが有する歯数が少なくなり、歯付きベルトの歯とプーリの歯との噛み合いが少なくなってしまう。そうすると、歯付きベルトがプーリ間を走行する際の歯付きベルトの走行ライン（ベルトピッチライン）が上下動しやすくなり、ベルト速度変動が大きくなってしまう。そこで、歯付きベルトの歯と歯との間の距離である歯ピッチを小さくして、歯付きベルトの歯とプーリの歯との噛み合いを多くすることが求められる。
【０００５】
また、最近はニーズの多様化により、更なる装置の小型・軽量化および省電力化の要求があり、更に小型のモータ（例えば、プリンターキャリッジ用駆動モータ）に対して用いることができる歯付きベルトが要求されるようになってきている。
【０００６】
上記のように駆動モータの小型化・省電力化の要求に伴い、駆動モータに低出力のタイプが使用される場合がある。ここで、低出力の駆動モータ軸に駆動プーリを付けて、駆動プーリと従動プーリとの間に歯付きベルトを巻き掛ける際のベルト取り付け張力（軸荷重、テンション）を高くすると、駆動モータの初動トルクが増大したり、軸荷重が増大したりしてしまうため、低出力の駆動モータを使用する際には不都合である。このため、駆動プーリ・従動プーリに対する小径プーリの採用とともに、更にベルト取り付け張力（軸荷重、テンション）を低く設定する必要がある。なお、特許文献１においては、小径プーリへの対応の記載はあっても、駆動モータの小型化・低出力化によるベルト取り付け張力（軸荷重、テンション）に対する記載はない。
【０００７】
一方、ベルト取り付け張力（軸荷重、テンション）を低くすると、歯付きベルトとプーリの歯との噛み合い具合が弱くなり、ベルト速度変動が大きくなる場合がある。
【０００８】
この点、特許文献２に開示されているように、ベルト歯部のプーリ歯溝部へのかみ合いがスムーズに為されないとき、即ち、ベルト歯部とプーリ歯溝部とが完全なかみ合い位置に到達するより前に、ベルト歯先部がプーリ歯側面部に接触してしまうような場合、かみ合いに際しベルトピッチラインの押し上げを伴い、ベルトピッチラインの上下動をきたす。ベルトピッチラインの上下動は、そのまま、かみ合いによる速度むら、即ち、かみ合い周期におけるベルト速度変動に直結する。これにより、ベルト歯部とプーリ歯溝部とのかみ合い時の干渉を有効に抑制して、かみ合いがスムーズとなる歯形状の最適な設計により、ベルト速度変動を一定程度抑制することが知られている。
【０００９】
また、ベルト速度変動の要因であるベルトピッチラインの上下動は、主にベルトの心線の仕様に基づくベルトの寸法安定性やベルトの屈曲性の良し悪しに左右される。ベルトの寸法安定性の良否はベルトのかみ合い精度の良否に直結し、かみ合いによるベルト速度変動に直結する。そこで、心線の弾性率が高く、吸湿等による経時的な寸法変化が少ない材質からなる心線を選定する必要がある。また、ベルトの屈曲性は、ベルトをプーリに巻きかけた際のベルトのしなやかさのことであり、まず、心線自体がしなやかか否か、即ち、心線の材質や、繊維及び心線の線径、撚り等心線の構成に左右され、さらに、ベルトの厚み方向の寸法、特には背厚の大小にも左右される。背厚の設定に関しては、ウレタン樹脂製歯付きベルト、特に小歯ピッチのものの場合は、（注型法による）製造上の観点（注型の容易性）と材料コスト上の観点（薄肉ほど有利）とを両立し得る、必要最小限の厚みに設定される。このため、ベルトの寸法安定性やベルトの屈曲性を高めることができれば、ベルト取り付け張力が低い場合でも、より小径のプーリにベルトをピッチずれすることなくスムーズに巻きかけ易くなるため、ベルトピッチラインの上下動を抑制でき、かみ合いによるベルト速度変動を小さくすることができる。
【００１０】
この点、特許文献３には、心線としてポリアリレート繊維コードを使用することで、高強度・高モジュラスであるとともに、経時的な寸法安定性を確保しつつ、屈曲性（ひいては、耐久性）に優れ、モータへの負荷（起動トルク）も抑制でき、特に高精密機器の動力伝動に用いるのに有効な歯付ベルトが開示されている。もっとも、ベルト速度変動に着目した記載は見当たらない。
【００１１】
また、プーリ間における同期伝動が可能なベルトシステムにおける、ベルトからの発音（音圧）を下げる技術の一例としては、ハス歯歯付きベルトが知られている。一般的に、ハス歯歯付きベルトは、直歯（スグバ）歯付きベルトに比べて、歯面の接触角が斜めであるため、かみ合いが滑らかであり、その結果、静音性に優れている。その反面、ハス歯の傾きに伴う片寄り、寿命（ベルト片端面の摩耗、歯元クラック、心線のほつれ等）の問題が生じやすい。例えば、特許文献４に開示されているハス歯歯付きベルトは、ウレタン樹脂製であってシリコーンオイルを歯部側に付着させることによって、片寄りを抑え、寿命を向上させたものである。それゆえに、特許文献４のハス歯歯付きベルトは、シリコーンオイルを内金型に塗布する工程が余分に必要となり、製造コストが増加してしまう問題が生じる。つまるところ、回転方向以外に余計な力がかからず片寄りが生じにくい、直歯歯付きベルトにおいて、ベルトからの発音（音圧）を下げることが望まれる。
【００１２】
直歯歯付きベルトの場合に、ベルトからの発音（音圧）を下げる技術の一例として、特許文献５には、ベルト幅方向に複数の歯（実施例は２列の歯列）を配し、それらを長手方向に半歯ピッチずらして配設させた歯付きベルトが開示されている。特許文献５の記載によれば、ベルトの中央部は、通常の歯形のベルトの半分のピッチで細かく屈曲することにより、心線位置の変動（ベルトピッチラインの上下動）が小さくなり、かみ合い時の多角形が緩和され、これにより、位置決め精度が向上するとともに回転時のベルトからの発音（音圧）を小さくすることができた、とされている。すなわち、かみ合い周期におけるベルト速度変動率（速度むら）とベルトからの発音性（音圧）との間には相応の関係があり、ベルトからの発音（音圧）を抑えるには、ベルト速度変動率（速度むら）を抑制できればよく、直歯歯付きベルトでも歯ピッチをより小さくすればよいことが伺える。しかしながら、特許文献５の直歯歯付きベルトでは、ベルトを含むベルトシステムの構成が、広幅で、かつ特殊なものにさせてしまい汎用性が低くなってしまう。
【００１３】
また、プリンター等ＯＡ機器に使われる歯付きベルトシステムにおいて、ベルトの張り過ぎにより、モータの駆動振動が、緩和されることなく、ベルト及び用紙搬送ローラを介して用紙に伝播し、用紙を共振させて発音させることがある。このような場合に、ベルトを介した共振による発音を抑制する技術の一例として、特許文献６には、ベルト取り付け張力（軸荷重、テンション）を低く設定することと、そのうえで、ベルトの緩み側及び張り側に適切な干渉部材を設けることにより、ベルトの張り過ぎがなくなり、用紙の共振が防止されて低騒音化を可能とした、歯付きベルトシステムが開示されている。すなわち、ベルト取り付け張力（軸荷重、テンション）とベルトを介した共振による発音との間には相応の関係があり、ベルトを介した共振による発音を抑制するためには、ベルト取り付け張力（軸荷重、テンション）を低く設定できればよいことが伺える。しかしながら、特許文献６の歯付きベルトシステムでは、ベルトシステムを構成する部品点数も多くなり、更に特殊かつ複雑なものになってしまう。
【先行技術文献】
【特許文献】
【００１４】
【特許文献１】特開２０１１−１３３０２２号公報
【特許文献２】特開２００２−９８２０２号公報
【特許文献３】特開２００２−３４９６３６号公報
【特許文献４】特開２００９-１４０２３号公報
【特許文献５】特開２０００−２１３６０２号公報
【特許文献６】特開２００５−３３７３９５号公報
【発明の概要】
【発明が解決しようとする課題】
【００１５】
上述したように、プーリ間における同期伝動が可能なベルトシステムの場合、例えば、ＯＡ機器等の筐体の固有振動数と歯付ベルトのかみ合い周波数が一致した場合に共振によって筐体が発音し、ＯＡ機器等、静粛性が必要とされる用途において問題となる場合がある。
【００１６】
そして、ベルトを介した共振による発音を抑制するためには、ベルトからの発音（音圧）そのものを下げること（換言すれば、静音性に優れるベルト）、が必要である。ベルトからの発音（音圧）を抑えるには、ベルト速度変動率（速度むら）を小さくすればよい（特許文献５）。また、ベルトを介した共振による発音を抑制するには、取り付け張力（軸荷重、テンション）を低くすればよい(特許文献６）。
【００１７】
したがって、ベルトを介した共振による発音を抑制するためには、静音性に優れるベルトが必要であり、そのためには、取り付け張力（軸荷重、テンション）を低く設定しても、ベルト速度変動率（速度むら）を抑制することができる歯付きベルトシステムおよびその歯付きベルトが望まれる。
【００１８】
そこで、本発明は、プーリ間における同期伝動が可能なベルトシステムにおいて、ベルト取り付け張力（軸荷重、テンション）が低く設定されても（低張力時においても）、経時的な寸法安定性、屈曲性、耐久性を有するとともに、ベルト速度変動を抑制することができ、しかも、静音性に優れるベルトシステムおよびその歯付きベルトを提供することを目的とする。
【課題を解決するための手段】
【００１９】
上記課題を解決するための本発明の一つの側面は、背部、歯部、及び前記背部に埋設された心線を備える歯付ベルトと、前記歯部と噛み合う歯溝部が設けられたプーリとを備えたベルトシステムであって、
前記背部及び歯部はウレタン樹脂組成物を含み、
前記心線は、ガラス繊維フィラメント群からなる撚りコード、又は、ポリアリレート繊維フィラメント群からなる撚りコードであり、
前記心線が、ガラス繊維フィラメント群からなる撚りコードである場合、
前記歯部のピッチは、０．４５〜０．６０ｍｍ、
前記ガラス繊維フィラメントの直径が６〜９ミクロン、
前記心線の線径が０．１４〜０．２０ｍｍであり、
前記心線が、ポリアリレート繊維フィラメント群からなる撚りコードである場合、
前記歯部のピッチは、０．４５〜０．７１ｍｍ、
前記心線の線径が０．１４〜０．２８ｍｍである。
【００２０】
上記構成によれば、心線がガラス繊維フィラメント群からなる撚りコードである場合、歯部のピッチを０．４５〜０．６０ｍｍに設定しているため、歯付きベルトの歯数を、歯部のピッチが０．６０ｍｍよりも大きいものに比べて増やすことができる。これにより、小径のプーリに歯付きベルトを巻き掛けた際、歯付きベルトの歯とプーリの歯との噛み合いから生じる多角形状を、より円形に近づけることができる。これにより、歯付きベルトがプーリ間を走行する際の歯付きベルトの走行ライン（ベルトピッチライン）の上下動を抑制し、歯付きベルトの走行時におけるベルト速度変動（速度むら）を小さくすることができるとともに、静音性に優れたものにすることができる。
また、心線を、ガラス繊維フィラメント群（フィラメントの直径が６〜９ミクロン）からなる、線径０．１４〜０．２０ｍｍの撚りコードにすることにより、線径０．２０ｍｍよりも大きいものに比べて歯付きベルトの屈曲性を高めることができる。これにより、歯付きベルトを、より小径のプーリ間に低張力で巻き掛けることができる。
加えて、心線の線径を小さくしているため、歯付きベルトの背部を薄くすることが可能となる。これによっても、歯付きベルトの屈曲性を高めることができる。
また、心線にガラス繊維フィラメント群を使用することにより、経時的・環境的な歯付きベルトの寸法安定性を確保することができる。
そして、歯付きベルトの寸法安定性・屈曲性を高めることにより、小径のプーリ間に歯付きベルトを低張力で巻き掛けたベルトシステムでも、歯付きベルトの走行時におけるベルト速度変動を小さくすることができるとともに、静音性に優れたものにすることができる。
【００２１】
また、心線がポリアリレート繊維フィラメント群からなる撚りコードである場合、歯部のピッチを０．４５〜０．７１ｍｍに設定しているため、歯付きベルトの歯数を、歯部のピッチが０．７１ｍｍよりも大きいものに比べて増やすことができる。これにより、小径のプーリに歯付きベルトを巻き掛けた際、歯付きベルトの歯とプーリの歯との噛み合いから生じる多角形状を、より円形に近づけることができる。これにより、歯付きベルトがプーリ間を走行する際の歯付きベルトの走行ライン（ベルトピッチライン）の上下動を抑制し、歯付きベルトの走行時におけるベルト速度変動（速度むら）を小さくすることができるとともに、静音性に優れたものにすることができる。
また、心線を、ポリアリレート繊維フィラメント群からなる、線径０．１４〜０．２８ｍｍの撚りコードにすることにより、線径０．２８ｍｍよりも大きいものに比べて歯付きベルトの屈曲性を高めることができる。これにより、歯付きベルトを、より小径のプーリ間に低張力で巻き掛けることができる。
加えて、心線の線径を小さくしているため、歯付きベルトの背部を薄くすることが可能となる。これによっても、歯付きベルトの屈曲性を高めることができる。
また、心線にポリアリレート繊維フィラメント群を使用することにより、経時的・環境的な歯付きベルトの寸法安定性を確保することができる。
そして、歯付きベルトの寸法安定性・屈曲性を高めることにより、小径のプーリ間に歯付きベルトを低張力で巻き掛けたベルトシステムでも、歯付きベルトの走行時におけるベルト速度変動を小さくすることができるとともに、静音性に優れたものにすることができる。
また、歯付きベルトの寸法安定性・屈曲性を高めることにより、（駆動プーリの軸に取り付けた駆動モータの）起動トルクを低くすることができ、起動時の動力伝達性を高めることができる。
【００２２】
また、上記ベルトシステムは、ベルト張力によってプーリ間に巻き掛けられた際の当該プーリの軸にかかる荷重である軸荷重が５〜１５Ｎとなる条件で使用されることが好ましい。
【００２３】
上記構成によれば、ベルトシステムにおいて、歯付きベルトがベルト張力によってプーリ間に巻き掛けられた際の軸荷重が、比較的低い５〜１５Ｎに設定されることにより、プーリの軸に対する負担を低減することができる。プーリの軸に対する負担を低減することができれば、例えば、プーリに取り付ける駆動モータに低出力・小型のタイプのものを使用することができるため、駆動モータの小型化・省電力化が可能となる。
また、軸荷重を、比較的低い５〜１５Ｎに設定しているため、歯付きベルトの耐久性（寿命）も高めることができる。
また、軸荷重を、比較的低い５〜１５Ｎに設定しているため、駆動モータ等の振動に起因するベルトを介したベルトシステムの共振等による発音を抑制することができる。
なお、軸荷重が、５〜１５Ｎで使用される理由としては下記理由が挙げられる。まず、軸荷重が５Ｎ未満ではベルト張力が弱すぎて、歯付きベルトをプーリ間に掛架できず、プーリ間における同期伝動性能を十分に発揮できない。一方、１５Ｎは、低出力・小型タイプのモータを装置の駆動用に採用し得る軸荷重の最大値とされ、軸荷重が１５Ｎより大きいと、低出力・小型タイプのモータ軸に過剰な負荷がかかり、モータのトルク性能を十分に発揮できない。
【００２４】
また、本発明は、上記ベルトシステムに用いられる歯付きベルトでもある。
【００２５】
上記構成によれば、プーリ間における同期伝動が可能なベルトシステムに用いられる歯付ベルトに関して、ベルト取り付け張力（軸荷重、テンション）が低く設定されても（低張力時においても）、経時的な寸法安定性、屈曲性、耐久性を有するとともに、ベルト速度変動を抑制することができ、しかも、静音性に優れたものにすることができる。
【発明の効果】
【００２６】
プーリ間における同期伝動が可能なベルトシステムにおいて、ベルト取り付け張力（軸荷重、テンション）が低く設定されても（低張力時においても）、経時的な寸法安定性、屈曲性、耐久性を有するとともに、ベルト速度変動を抑制することができ、しかも、静音性に優れるベルトシステムおよびその歯付きベルトを提供することができる。
【図面の簡単な説明】
【００２７】
【図１】図１は、第１実施形態に係る歯付きベルトの概略説明図である。
【図２】図２は、第１実施形態に係る歯付きベルトの断面斜視図及び側面図であり、図２のＡは断面斜視図であり、図２のＢは側面図である。
【図３】図３は、速度変動率試験の説明図である。
【図４】図４は、耐久走行試験の説明図である。
【図５】図５は、速度変動率試験における軸荷重とベルト速度変動率との関係を示すグラフである。
【図６】図６は、速度変動率試験における歯ピッチとベルト速度変動率との関係を示すグラフである。
【図７】図７は、第１実施例の実施例４に係る歯付きベルトにおける、経過日数と軸間距離変化率との関係を示すグラフである。
【図８】図８は、第１実施例の比較例７及び実施例４に係る歯付きベルトに関して、軸荷重と起動トルクとの関係を示すグラフである。
【図９】図９は、速度変動率試験における軸荷重とベルト速度変動率との関係を示すグラフである。
【図１０】図１０は、速度変動率試験における歯ピッチとベルト速度変動率との関係を示すグラフである。
【図１１】図１１は、第２実施例の比較例１及び実施例３に係る歯付きベルトにおける、経過日数と軸間距離変化率との関係を示すグラフである。
【図１２】図１２は、第２実施例のベルト屈曲性試験における、軸荷重と起動トルクとの関係を示すグラフである。
【図１３】図１３は、参考例１に係るハス歯歯付きベルトの概略説明図である。
【図１４】図１４は、音圧測定試験時のベルトシステムの説明図である。
【図１５】図１５は、第１実施例の比較例７、参考例１、実施例４に係る軸荷重とベルト速度変動率との関係をグラフ化した図である。
【図１６】図１６は、第２実施例の比較例７、参考例１、比較例１、実施例３に係る軸荷重とベルト速度変動率との関係をグラフ化した図である。
【図１７】図１７は、第１実施例の比較例７、参考例１、実施例４の歯付ベルトに関して、軸荷重５Ｎ時のベルトからの音圧レベルの値をグラフ化した図である。
【図１８】図１８は、第２実施例の比較例７、参考例１、比較例１、実施例３の歯付ベルトに関して、軸荷重５Ｎ時のベルトからの音圧レベルの値をグラフ化した図である。
【発明を実施するための形態】
【００２８】
以下、本発明の実施形態を図面に従って説明する。図１及び図２に本発明の実施形態に係るベルトシステム１０及び歯付きベルト１を示す。
【００２９】
（第１実施形態）
第１実施形態に係るベルトシステム１０では、歯付きベルト１が、図１に示すように、駆動プーリ５と従動プーリ６との間に巻き掛けられて使用される。これにより、駆動プーリ５と従動プーリ６との間で同期伝動が可能となる。当該ベルトシステム１０で使用する歯付ベルト１は、ベルト歯の種別（例えば、直歯、ハス歯）、またはベルト歯と噛み合うプーリ歯の種別（例えば、直歯、ハス歯）を明示することなく記載した場合、「直歯歯付きベルト」のことを指す。
【００３０】
歯付きベルト１は、ベルト長手方向に沿って複数の歯部２と、歯付きベルト１のベルトピッチライン上に補強用心体である心線３と、該心線３を埋設した背部４からなる。また、図２の（Ｂ）に示す歯部２と歯部２との間の距離である歯ピッチは、０．４５〜０．６０ｍｍになるように構成されている。歯部２の形状としては丸歯形状としているが、これに限られず、断面台形状や断面三角形状等から任意に選択できる。
【００３１】
歯付きベルト１の歯部２及び背部４は、ウレタン樹脂組成物からなる。ウレタン樹脂組成物は、液状のウレタン原料を注型し、加熱することによって得られるが、一般に成形方法としては、ポリオール、触媒、鎖延長剤、顔料等を混合したプレミックス液と、イソシアネート成分を含有する溶液とを混合し、これを注型して硬化反応させるワンショット法と、予めイソシアネートとポリオールを反応させて、イソシアネートの一部をポリオールで変性したプレポリマーと硬化剤を混合して注型し、架橋反応させるプレポリマー法があるが、本発明ではプレポリマー法が好ましく用いられる。
【００３２】
イソシアネートとしては限定されるものではないが、芳香族ポリイソシアネート、脂肪族ポリイソシアネート、脂環式ポリイソシアネート、またそれらの変性体が使用可能である。具体的には、トルエンジイソシアネート（ＴＤＩ）、メチレンジイソシアネート（ＭＤＩ）、キシリレンジイソシアネート（ＸＤＩ）、ナフタレンジイソシアネート（ＮＤＩ）、ヘキサメチレンジイソシアネート（ＨＤＩ）そしてイソホロンジイソシアネート（ＩＰＤＩ）などが例示できるが、中でもＴＤＩ及びＭＤＩが好ましく用いられる。
【００３３】
ポリオールとしては、エステル系ポリオール、エーテル系ポリオール、アクリルポリオール、ポリブタジエンポリオール、及びこれらの混合ポリオール等が挙げられる。エーテル系ポリオールとしては、ポリエチレンエーテルグリコール（ＰＥＧ）、ポリプロピレンエーテルグリコール（ＰＰＧ）、ポリテトラメチレンエーテルグリコール（ＰＴＭＧ）などがあり、またエステル系ポリオールとしては、ポリエチレンアジペート（ＰＥＡ）、ポリブチレンアジペート（ＰＢＡ）、ポリヘキサメチレンアジペート（ＰＨＡ）、ポリ−ε−カプロラクトン（ＰＣＬ）などが例示できる。
【００３４】
硬化剤としては、１級アミン、２級アミン、３級アミンであるアミン化合物を用いることができる。具体的には１，４−フェニレンジアミン、２，６−ジアミノトルエン、１，５−ナフタレンジアミン、４，４´−ジアミノジフェニルメタン、３，３´−ジクロロ−４，４´−ジアミノジフェニルメタン（以下ＭＯＣＡと記す）、３，３´−ジメチル−４，４´−ジアミノジフェニルメタン、１−メチル−３，５−ビス（メチルチオ）−２，６−ジアミノベンゼン、１−メチル３，５´−ジエチル−２，６−ジアミノベンゼン、４−４´−メチレン−ビス−（３−クロロ−２，６−ジエチルアニリン）、４，４´−メチレン−ビス−（オルト−クロロアニリン）、４，４´−メチレン−ビス―（２，３−ジクロロアニリン）、トリメチレングリコールジ−パラ−アミノベンゾエート、４，４´−メチレン−ビス−（２，６−ジエチルアニリン）、４，４´−メチレン−ビス−（２，６−ジイソプロピルアニリン）、４，４´−メチレン−ビス−（２−メチル−６−イソプロピルアニリン）、４，４´−ジアミノジフェニルスルホンなどが利用できる。
【００３５】
上記各成分以外の他に、可塑剤、顔料、消泡剤、充填材、触媒、安定剤等の添加剤を配合することができる。可塑剤としては、一般にはフタル酸ジオクチル（ＤＯＰ）、フタル酸ジブチル（ＤＢＰ）、アジピン酸ジオクチル（ＤＯＡ）、リン酸トリクレジル（ＴＣＰ）、塩素系パラフィン、フタル酸ジアルキルなどが利用できる。
【００３６】
また触媒としては、酸触媒である有機カルボン酸化合物が利用できる。具体的にはアゼライン酸、オレイン酸、セバシン酸、アジピン酸などの脂肪族カルボン酸、安息香酸、トルイル酸などの芳香族カルボン酸が用いられる。その他に、トリエチルアミン、Ｎ，Ｎ−ジメチルシクロヘキシルアミン、トリエチレンジアミンに代表されるアミン化合物、スタナスオクトエート、ジブチルチンジラウレート、ジオクチルチンマーカプチドに代表される有機金属化合物が適宜用いられる。
【００３７】
次に、ウレタン原料の準備工程の例を記す。前記イソシアネートとポリオールと予め反応させたウレタンプレポリマーに必要に応じて消泡剤、可塑剤を配合したＡ液を調整し、５０〜８５℃にて保管する。また、硬化剤を１２０°Ｃ以上の雰囲気温度下にて完全に溶解させたＢ液を準備する。尚、触媒をウレタン原料に配合する場合はＢ液に予め攪拌混合しておくことが好ましい。
【００３８】
ベルト成形方法としては従来の製造方法が適用できる。すなわち、金型に心線をスパイラルに巻きつけた状態で、上記Ａ液、Ｂ液を攪拌混合して金型内に注入し、一定条件下で加熱して架橋させることによってベルトスリーブを作製し、その後所定幅にカットすることによって歯付きベルトを製造することができる。
【００３９】
心線３は、ガラス繊維フィラメント群を撚り合わせた撚りコードであり、直径６〜９ミクロン（フィラメント径）のガラス繊維フィラメントを、例えば約２００本を束ねて引き揃えたストランド（原糸）に、ウレタン浸漬処理を行なった後、所定回数の撚りを与えて、線径が０．１４〜０．２０ｍｍになるように調整している。例えば、直径６〜９ミクロンのガラス繊維フィラメント約２００本を束ねて引き揃えたストランドに、ウレタン浸漬処理を行なった後、撚り数１７回／１０ｃｍの撚りを与えて、線径０．１７ｍｍの撚りコードにするなど、適宜、撚り数を調整して、心線３の線径が０．１４〜０．２０ｍｍになるように調整している。
【００４０】
（第２実施形態）
以下、本発明の第２実施形態を説明する。なお、第１実施形態と同様の要素については、適宜その説明を省略する。すなわち、以下に具体的に説明されない要素については、上記第１実施形態において対応する要素と同様の説明が適用される。
【００４１】
第２実施形態に係る歯付きベルト１は、ベルト長手方向に沿って複数の歯部２と、歯付きベルト１のベルトピッチライン上に補強用心体である心線３と、該心線３を埋設した背部４からなる。また、図２の（Ｂ）に示す歯部２と歯部２との間の距離である歯ピッチは、０．４５〜０．７１ｍｍになるように構成されている。
【００４２】
心線３は、ポリアリレート繊維フィラメント群を撚り合わせた撚りコードであり、例えば繊度５．５ｄｔｅｘのポリアリレート繊維フィラメント（フィラメント繊度）２０本を束ねて引き揃えたトータル１１０ｄｔｅｘのストランド（原糸）に、所定回数の撚りを与えて、線径が０．１４〜０．２８ｍｍになるように調整している（以下、ポリアリレート心線）。例えば、繊度５．５ｄｔｅｘのポリアリレート繊維フィラメント２０本を束ねて引き揃えたトータル１１０ｄｔｅｘのストランドに、撚り数４３回／１０ｃｍの撚りを与えて、線径０．１７ｍｍの撚りコードにするなど、適宜、撚り数を調整して、心線３の線径が０．１４〜０．２８ｍｍになるように調整している。なお、ポリアリレート心線は接着処理を施さなくとも良い。ポリアリレート繊維は、フタル酸またはイソフタル酸とビスフェノールを縮合した全芳香族ポリエステル繊維であって、例えばポリパラフェニレンベンゾビスオキサゾール等のヘテロ環剛直性高分子繊維、及びメタ系アラミド、パラ系アラミド等の全芳香族ポリエステル繊維といった剛直性繊維群に分類されるものである。一般に剛直性繊維はゴムとの接着力が低いとされているが、本発明ではベルト本体（歯部２及び背部４）をウレタン組成物で構成することで、ポリアリレート繊維コードに接着処理を施すことなく歯付きベルト１本体と心線３との複合化が可能である。
【実施例】
【００４３】
次に、本発明の各実施形態の構成を具備する歯付きベルトを実施例として、各実施形態の構成を具備しない歯付きベルトを比較例として、１．速度変動率試験、２．耐久走行試験、３．ベルト寸法安定性試験、４．ベルト屈曲性試験、５．音圧測定試験を行った。
【００４４】
（１．速度変動率試験）
速度変動率試験では、図３に示す二軸レイアウトにて歯付きベルト１を走行させたときの速度むらをレーザードップラ計にて測定し、周波数分析により、かみ合い１次周波数でのベルト速度変動率（％）を求めた。
具体的には、図３で示すように、駆動プーリ５と従動プーリ６との間に歯付きベルト１を掛架し（駆動プーリ５及び従動プーリ６は、歯数、歯ピッチ、ピッチ円直径が同じ歯付きプーリである）、歯付きベルト１に所定の張力を付与するために、従動プーリ６を移動させ、所定の軸荷重（本試験では、５Ｎ、１０Ｎ、１５Ｎ、２０Ｎ）を与え固定した。次に、駆動プーリ５を１２００ｒｐｍにて回転させた。そして、軸荷重が所定の数値で安定した後、レーザードップラ計にて歯付きベルト１の速度むらを測定して、ベルト速度変動率（％）を算出した。
【００４５】
なお、レーザードップラ計は、レーザー光のドップラー効果を利用した非接触タイプの測定器である。また、ベルト張力によってプーリ間（駆動プーリ５と従動プーリ６）に巻き掛けられた際のプーリ（従動プーリ６、なお、駆動プーリ５でもよい）の軸にかかる荷重を軸荷重とした。また、ベルト速度変動率（単に、速度変動率と呼ぶこともある）は、平均的な回転速度Ｖ０に対する回転速度の変動量ΔＶの百分率として次式によって定義されている。
ベルト速度変動率＝（ΔＶ／Ｖ０）×１００（％）
【００４６】
（２．耐久走行試験）
耐久走行試験では、図４に示す二軸レイアウトにて歯付きベルト１にプリンターキャリッジ等を想定したワーク（錘）を装着し、歯付きベルト１の往復動作を繰り返し、歯付きベルト１の機能特性（歯欠け・歯元クラック・摩耗・切断などの有無、ベルト張力強さの残存率）を評価した。
具体的には、図４で示すように、駆動プーリ５と従動プーリ６との間に、３５０ｇのワーク（錘）を装着した歯付きベルト１を掛架し、歯付きベルト１に所定の張力を付与するために、従動プーリ６を移動させ、１５Ｎの軸荷重を与え固定した。次に、駆動プーリ５を６００ｒｐｍにて回転させ、ワーク移動距離が１４０ｍｍに達したところで、駆動プーリ５を６００ｒｐｍで逆回転させることによりワークを装着した歯付きベルト１を往復動作させた。そして、この往復動作を１００万回（２００万パス）行い、歯付きベルト１の機能特性（歯欠け・歯元クラック・摩耗・切断などの有無、ベルト引張強さの残存率）を評価した。なお、使用する駆動プーリ５の歯数、歯ピッチ、ピッチ円直径は表４及び１１に記載している。また、従動プーリ６は、平プーリ（φ１０ｍｍ）を使用した。評価基準としては、歯付きベルトに歯欠け・歯元クラック・異常な摩耗・切断などが有れば、不良（×）とし、更に、歯付きベルトに歯欠け・歯元クラック・異常な摩耗・切断などがない場合において、ベルト引張強さの残存率（耐久走行試験前の歯付きベルトに対する残存率）を測定し、８５％以上であれば最良好（◎）と評価し、８０％以上８５％未満であれば良好（〇）と評価し、８０％未満であれば、不良（×）と評価した。
【００４７】
（３．ベルト寸法安定性試験）
ベルト寸法安定性試験では、比較例及び実施例の歯付きベルト１を室温４０℃、湿度９０％の環境下でフリーの状態で保管し、経過日数とベルトの寸法変化率を測定した。
具体的な寸法変化率の測定としては、保管時と同一環境下で２個の歯付きプーリに歯付きベルト１を掛架し、軸荷重１２Ｎを与えてプーリの軸間距離を測定し、当初のプーリの軸間距離と比較した軸間距離変化率を測定した。また、評価基準としては、経過日数１０日で軸間距離変化率（絶対値）が０．０２％以下である場合を良好（〇）とし、０．０２％を超えた場合を不良（×）とした。
【００４８】
（４．ベルト屈曲性試験）
ベルト屈曲性試験では、歯付きベルト１の屈曲性、及び、起動のし易さ（起動時の動力伝達性）、の代用試験として起動トルクを測定した。
具体的には、図３で示すように、駆動プーリ５と従動プーリ６との間に歯付きベルト１を掛架し（駆動プーリ５及び従動プーリ６は、歯数、歯ピッチ、ピッチ円直径が同じ歯付きプーリである）、歯付きベルト１に所定の張力を付与するために、従動プーリ６を移動させ、歯付きベルト１に所定の軸荷重（本試験では、５Ｎ、１０Ｎ、２０Ｎ、３０Ｎ）を与えた。その後、駆動プーリ５に糸を巻き掛け、糸の先端に装着したロードセルを引っ張った。この時、従動プーリ６が回転を始める時のトルク値（起動トルクＮ・ｍ）を測定した。また、評価基準としては、軸荷重が１０Ｎ時における比較例（第１実施例、及び第２実施例ともに比較例７）の起動トルクの水準と比較し、同等の場合は評価を可（△）とし、この水準より低い場合には良好（○）と評価した（なお、顕著に低ければ最良好（◎）と評価）。
【００４９】
（５．音圧測定試験）
音圧測定試験では、図１４に示すベルトシステムの駆動プーリ５と従動プーリ６との間にベルトを掛架し、ベルトを走行させたときの、駆動プーリ側入り口近傍の音圧レベルを測定し、供試体間（歯形別）の静音性の優劣を比較評価した。
【００５０】
具体的には、下記手順で音圧測定試験を行った。
（１）駆動プーリ５と従動プーリ６（アイドルプーリ）との間に歯付ベルト１を掛架する（駆動プーリ５及び従動プーリ６は、歯形、歯数、歯ピッチ、ピッチ円直径が、掛架した歯付ベルト１に対応した歯付きプーリである）。
（２）歯付ベルト１に所定の張力を付与するために、従動プーリ６を移動させ、所定の軸荷重（本試験では、５Ｎ、１０Ｎ、１５Ｎ、２０Ｎ）を与え固定した。
（３）供試体間（歯形別）でベルト線速度が一定（３００ｍｍ/秒）となるよう、供試体ごとに駆動プーリ５のプーリ回転数を調整し、駆動プーリ５を回転させた。
（４）軸荷重が所定の数値で安定した後、騒音計にて駆動プーリ側入り口近傍（図１４の、●の位置）での、かみ合い１次の音圧（かみ合い１次の周波数成分）（ｄＢ(A））を測定し、供試体間のプーリ及びモータ回転数が異なるので、各供試体ごとにモータ暗騒音（ｄＢ(A））を差し引いた、モータ暗騒音からの音圧増加量（ｄＢ(A））を算出して、このモータ暗騒音からの音圧増加量（ｄＢ(A））をベルトからの音圧レベル（ｄＢ(A））とした。ここで、かみ合い１次の音圧とは、かみ合い１次の周波数成分のことであって、具体的には、単位時間当たりのかみ合い回数（かみ合い１次の周波数）における音圧のピーク値のことである。また、ｄＢ(A）は、Ａ特性による補正を施して測定された音圧レベルであって、Ａ特性音圧レベルのことである（Ａ特性とは、騒音計による測定に使われる、人間の聴覚を考慮した周波数重み付け特性であって、JIS C 1502-1990「普通騒音形」に定められている）。また、モータ暗騒音とは、ベルトをプーリ間に巻き掛けない状態で、各供試体別に上記駆動プーリ５の回転数になるよう、モータを駆動させたときの駆動プーリ側入り口近傍での音圧（ｄＢ(A））のことである。
（５）静音性の優劣評価は、ベルトからの音圧レベル（ｄＢ(A））を供試体間で比較することにより行った。なお、音圧測定試験時の室温は、２５±２℃であった。
【００５１】
供試体としては、表１に示した、比較例７、実施例４、参考例１、および、表１１に示した、比較例１、比較例７、実施例３、参考例１に記載のベルトを使用した。なお、参考例１は、図１３に示すハス歯歯付きベルト（歯ピッチ０．７０６ｍｍ）である。参考例１のハス歯歯付きベルトは、ベルト及びプーリとも、直歯と比べ、ハス歯角度を１２．５°とする点で歯部の構成が異なる（その他の構成は、同一とした）。
【００５２】
評価基準としては、上記ベルトシステムにおける、ベルトからの音圧レベル（ｄＢ(A））について、比較例７を基準（不可×）とし、比較例７よりも数値が低い場合を良好（〇）とし、最も数値が低いものを最も静音（◎）と評価した。
【００５３】
（第１実施例）
本発明の第１実施形態に係る構成を具備する歯付ベルト１を第１実施例とし、評価を行った。
【００５４】
第１実施例の各試験で使用する歯付きベルト１は、ポリウレタン組成物（配合Ａ：ＮＣＯ含有率４．１％のウレタンプレポリマー１００質量部、アミン系硬化剤（ＭＯＣＡ）約１２質量部、可塑剤（フタル酸ジアルキル）約２０質量部、触媒（アゼライン酸）０．２質量部）によって構成した。この配合Ａは、心線３に対する接着性の観点からも好適である。また、心線３は、ガラス繊維フィラメント群を撚り合わせた撚りコードであり、ガラス繊維フィラメント約２００本を束ねて引き揃えたストランド（原糸）に、ウレタン浸漬処理を行なった後、所定回数の撚りを与えて、所定の心線径にした（表１参照）。また、歯付きベルト１は上述した方法により製造した。
【００５５】
そして、上記歯付きベルト１に対して、各試験によって条件（歯ピッチの長さ、心線径、フィラメント径等）を変えて作成した実施例及び比較例に係る歯付きベルトを用いて各試験を行った。また、参考例１のハス歯歯付きベルト（ハス歯角度１２．５°）についても各試験を行った。なお、実施例１〜６、比較例１〜９、及び、参考例１に係る歯付きベルトの構成条件を表１に示す。
【００５６】
また、１．速度変動率試験、２．耐久走行試験、３．ベルト寸法安定性試験、４．ベルト屈曲性試験、及び、５．音圧測定試験の試験結果を表１にまとめて記載している。また、一部の実施例及び比較例に関しては、１．速度変動率試験の試験結果を表２及び表３に、２．耐久走行試験の試験結果を表４に、３．ベルト寸法安定性試験の試験結果を表５に、４．ベルト屈曲性試験の試験結果を表６及び表７に、５．音圧測定試験の試験結果を表８に示し、詳細に比較検討した。
【００５７】
【表１】
0006530276.tif 000002
【００５８】
速度変動率試験では、表２に示すように実施例４、実施例６、比較例１、比較例７、比較例８、及び、比較例９の歯付きベルトに対して、軸荷重を５Ｎ、１０Ｎ、１５Ｎ、２０Ｎに設定した場合のベルト速度変動率を算出し、評価した。また、評価基準としては、ベルト速度変動率が０．４０％以下である場合を良好（〇）とし、０．４０％を超えた場合を不良（×）とした。ここで、評価基準として、ベルト速度変動率が０．４０％以下である場合を良好と判断しているのは、低出力・小型タイプのモータの使用を前提としたプリンターキャリッジ駆動等に歯付きベルトを使用する際に、ベルト速度変動率が０．４０％以下である場合に、プリンターキャリッジ駆動に関して高精度な位置決めを担保でき、印字むらを引き起こさないからである。表２に速度変動率試験の結果をまとめた表を示す。また、図５に速度変動率試験における実施例及び比較例に係る歯付きベルトの軸荷重とベルト速度変動率との関係をグラフ化した図を示す。
【００５９】
【表２】
0006530276.tif 000003
【００６０】
上記速度変動率試験によれば、実施例４、実施例６、比較例１、比較例７、比較例８、及び、比較例９の試験結果において、歯付きベルトの走行時の軸荷重が減少するほど、ベルト速度変動率は増加したことが分かる（図５参照）。
【００６１】
そして、表２及び図５に示すように、歯ピッチを、０．４００ｍｍ（比較例１）、０．５０８ｍｍ（実施例４）、０．６００ｍｍ（実施例６）に設定した場合には、軸荷重を５Ｎ、１０Ｎ、１５Ｎ、２０Ｎのいずれの値に設定した場合でも、ベルト速度変動率は０．４０％以下となり、評価は良好（〇）であった。一方、歯ピッチを、０．７０６ｍｍ（比較例７）、０．８００ｍｍ（比較例８）、０．８５０ｍｍ（比較例９）に設定した場合には、軸荷重を５Ｎ、１０Ｎ、１５Ｎ、２０Ｎのいずれの値に設定した場合でも、ベルト速度変動率は０．４０％超えとなり、評価は不良（×）であった。
【００６２】
また、速度変動率試験では、表１に示すように、比較例１〜９、実施例１〜６及び参考例１の歯付きベルトに対して、軸荷重を５Ｎに設定した場合のベルト速度変動率を算出し、評価した。なお、表３に、比較例１、実施例１、実施例４、実施例６、比較例６、比較例７、比較例８、及び、比較例９の歯付きベルトに対して、軸荷重を５Ｎに設定した場合のベルト速度変動率を算出し、評価した結果を記載している。また、図６に、表３における実施例及び比較例に係る歯付きベルトの歯ピッチとベルト速度変動率との関係をグラフ化した図として示す。
【００６３】
【表３】
0006530276.tif 000004
【００６４】
表３及び図６の速度変動率試験によれば、歯ピッチが小さくなるほど、ベルト速度変動率は減少した。そして、歯ピッチを、０．４００ｍｍ（比較例１）、０．４５０（実施例１）、０．５０８ｍｍ（実施例４）、０．６００ｍｍ（実施例６）に設定した場合には、ベルト速度変動率は０．４０％以下となり、評価は良好（〇）であった。
【００６５】
上記速度変動率試験より、歯ピッチを少なくとも０．４００ｍｍ〜０．６００ｍｍの範囲に設定することにより、軸荷重を５Ｎ〜２０Ｎにした場合でも、ベルト速度変動率が０．４０％以下となり、評価を良好（〇）とすることができた。
【００６６】
ここで、軸荷重が５Ｎ未満ではベルト張力が弱すぎて、歯付きベルト１をプーリ間に掛架できず、プーリ間における同期伝動性能を十分に発揮できない。一方、１５Ｎは、低出力・小型タイプのモータを装置の駆動用に採用し得る軸荷重の最大値とされ、軸荷重が１５Ｎより大きいと、低出力・小型タイプのモータ軸に過剰な負荷がかかり、モータのトルク性能を十分に発揮できない。
従って、実施例の歯付きベルト１は、軸荷重を５Ｎ〜１５Ｎにした場合であってもベルト速度変動率の評価を良好（〇）とすることができたことにより、例えば、駆動プーリ５に取り付ける駆動モータに、低出力・小型タイプのものを採用しやすいというメリットが生じる。
【００６７】
なお、歯ピッチを０．４００ｍｍ（比較例１）にした場合、ベルト速度変動率の評価は良好（〇）であるが、後述する耐久走行試験では、歯元クラックが生じてしまうため、総合判定は不良（×）となる。
【００６８】
耐久走行試験では、表１に示すように、比較例１〜９及び実施例１〜６の歯付きベルトに対して試験を行った。表４に、比較例２（心線径０．１２ｍｍ）、実施例２（心線径０．１４ｍｍ）、実施例４（心線径０．１７ｍｍ）、実施例５（心線径０．２０ｍｍ）、比較例５（心線径０．２２ｍｍ）の歯付きベルトに対して行った耐久走行試験の試験結果を示す。
【００６９】
【表４】
0006530276.tif 000005
【００７０】
上記耐久走行試験によれば、実施例２（心線径０．１４ｍｍ）、実施例４（心線径０．１７ｍｍ）、実施例５（心線径０．２０ｍｍ）では、評価が最良好（◎）となった。一方、比較例２（心線径０．１２ｍｍ）では、歯付きベルト１が切断してしまい、耐久性が劣る結果（×）になった。また、比較例５（心線径０．２２ｍｍ）では、歯付きベルト１のベルト引張強さの残存率が６９．４％となり、心線の屈曲疲労が大きくなってしまい、評価は不良（×）になった。
【００７１】
上記より、ガラス心線の線径は、少なくとも０．１４ｍｍ〜０．２０ｍｍの範囲にあれば、歯ピッチを比較的小さくした場合でも耐久性を担保することができることが分かる。
【００７２】
また、表１に示すように、心線を構成するガラス繊維フィラメントのフィラメント径を、比較例３（５μｍ）、実施例３（６μｍ）、実施例４（９μｍ）、比較例４（１０μｍ）にそれぞれ設定した場合、実施例３（６μｍ）、実施例４（９μｍ）では、耐久走行試験の評価は最良好（◎）であった。一方、比較例３（５μｍ）では、歯欠けの状態となり耐久性が劣る結果（×）になった。また、比較例４（１０μｍ）では、歯付きベルト１のベルト引張強さの残存率が７５．６％となり、心線の屈曲疲労が大きくなってしまい、評価は不良（×）になった。
【００７３】
上記より、心線を構成するガラス繊維フィラメントのフィラメント径（直径）は、少なくとも６〜９ミクロンの範囲にあれば、歯付きベルト１の耐久性を担保することができることが分かる。
【００７４】
また、表１に示すように、比較例１（歯ピッチ：０．４００ｍｍ）の歯付きベルト１に対する耐久走行試験では、歯元クラックが発生し、耐久性が劣る評価（×）となった。これは、歯ピッチが小さくなり過ぎると、プーリの歯と歯付きベルトの歯とのかみ合い負荷に対する、歯部の一つあたりに必要とされる剛性を確保することができなくなったからだと推察される。
【００７５】
表５に実施例４に係る歯付きベルト１のベルト寸法安定性試験結果を示す。また、図７に実施例４に係る歯付きベルト１における、経過日数と軸間距離変化率との関係を示す。
【００７６】
【表５】
0006530276.tif 000006
【００７７】
上記ベルト寸法安定性試験より、比較例１〜９及び実施例１〜６のいずれの歯付きベルト１においても、経過日数１０日での軸間距離変化率（絶対値）が０．０２％以下であり良好（〇）と評価された。これにより、歯付きベルト１に、線径が０．１４〜０．２０ｍｍの比較的細径の心線３を採用した場合でも、軸間距離変化率にほとんど変化がなく、歯付きベルト１の寸法安定性は十分に確保されていたことが分かる。
【００７８】
表６に、比較例７及び実施例４に係る歯付きベルトに関して、軸荷重を５Ｎ、１０Ｎ、２０Ｎ、３０Ｎにした場合の起動トルクを測定した結果を示す。また、表７に、比較例７及び実施例４に係る歯付きベルトに関して、ベルト構成、軸荷重を１０Ｎにした場合の起動トルク、及び評価をまとめた表を示す。また、図８に、比較例７及び実施例４に係る歯付きベルトに関して、軸荷重と起動トルクとの関係をグラフ化した図を示す。
【００７９】
【表６】
0006530276.tif 000007
【００８０】
【表７】
0006530276.tif 000008
【００８１】
表６、表７及び図８に示すように、実施例４（心線径０．１７ｍｍ）と比較例７（心線径０．２４ｍｍ）を比較すると、歯付きベルト１に、比較的細径の心線３を採用した方が、起動トルクは低かったことが分かる。ここで、歯付きベルト１の起動トルクが低い場合、歯付きベルト１の屈曲性が高い、つまりは、起動トルクが低い歯付きベルト１は、起動時の動力伝達性能に優れるということが分かる。従って、心線３が細径の方が、歯付きベルト１の屈曲性が高く、しなやかで起動時の動力伝達性能に優れるということが分かる。
【００８２】
また、歯付きベルト１の屈曲性が高いと、軸荷重を５Ｎ〜１５Ｎ（低張力）にした場合であっても、起動トルクは低くなる傾向にあった。
従って、屈曲性に優れ、起動トルクが低いベルトは、（駆動プーリ５の軸に取り付けた駆動モータを）起動し易く、起動時の動力伝達性に優れるとともに、より小型で低出力の駆動モータの採用、ひいては、駆動モータの小型・軽量化、省電力化に貢献することができる。
【００８３】
音圧測定試験では、比較例７、参考例１、実施例４に記載の歯付きベルトを使用して実験を行った。表８に、比較例７、参考例１、実施例４の歯付きベルトに対して行った音圧測定試験の試験結果を示す。また、図１７に、比較例７、参考例１、実施例４の歯付ベルトに関して、軸荷重５Ｎ時のベルトからの音圧レベルの値をグラフ化して記載している。また、表９に、比較例７、参考例１、実施例４の歯付きベルトに対して行った音圧測定試験の評価結果を示す。また、参照用に、比較例７、参考例１、実施例４の歯付ベルトに対して、軸荷重を５Ｎ、１０Ｎ、１５Ｎ、２０Ｎに設定した場合のベルト速度変動率の測定結果を表１０にまとめた（図１５に測定結果をグラフ化したものを記載）。
【００８４】
【表８】
0006530276.tif 000009
【００８５】
【表９】
0006530276.tif 000010
【００８６】
【表１０】
0006530276.tif 000011
【００８７】
上記音圧測定試験結果、及び、ベルト速度変動率の測定結果によれば、直歯歯付きベルト間の比較（比較例７と実施例４との比較）では、軸荷重５〜２０Ｎの各軸荷重において、ベルトからの音圧レベルの優劣関係は、速度変動率の優劣関係と一致する結果となった。即ち、実施例４の歯付ベルトをプーリ間に掛架したベルトシステムでは、ベルト取り付け張力（軸荷重、テンション）が低く設定されても、経時的な寸法安定性、屈曲性、耐久性を有するとともに、ベルト速度変動を抑制することができ、しかも、比較例７に比べて静音性に優れていることが分かった。
【００８８】
また、静音性に優れるとされる参考例１のハス歯歯付きベルトを加えた場合の比較（参考例１と実施例４との比較）に関して、軸荷重１０Ｎ〜２０Ｎでは、参考例１のベルトからの音圧レベルの方が、実施例４のベルトからの音圧レベルよりも低く、静音性に優れていた。しかし、軸荷重５Ｎ時においては、ベルトからの音圧レベルの優劣関係は、速度変動率の優劣関係と一致する結果となり、実施例４のベルトからの音圧レベルの方が、参考例１のベルトからの音圧レベルよりも低く、静音性に優れていた。これにより、プーリ間における同期伝動が可能なベルトシステムにおいて、特に、ベルト取り付け張力の設定が最も低い軸荷重５Ｎ時の場合に、耐久性が懸念されるハス歯歯付きベルトとしなくても、直歯歯付きベルトで更に小歯ピッチ化することにより、経時的な寸法安定性、屈曲性、耐久性を有するとともに、ベルト速度変動を抑制することができ、しかも、静音性に優れたベルトシステムおよびその歯付きベルトを提供することができることがわかった。
【００８９】
（総合判定）
上記１．速度変動率試験、２．耐久走行試験、３．ベルト寸法安定性試験、４．ベルト屈曲性試験、及び、５．音圧測定試験の結果、速度変動率試験でのベルト速度変動率の評価を良好（〇）とし、耐久走行試験での評価を最良好（◎）とし、ベルト寸法安定性試験の結果を良好（○）とし、ベルト屈曲性試験で良好（○）とし、音圧測定試験の結果を良好（○）と評価された歯付きベルト１の条件をまとめると、歯部と歯部との間のピッチは０．４５〜０．６０ｍｍであり、心線３は、ガラス繊維フィラメント群からなる撚りコードとして、フィラメントの直径が６〜９ミクロン、心線３の線径が０．１４〜０．２０ｍｍであることが分かる。
【００９０】
上記構成によれば、歯部２と歯部２との間のピッチを０．４５〜０．６０ｍｍに設定しているため、歯付きベルト１の歯数を、歯部２のピッチが０．６０ｍｍよりも大きいものに比べて増やすことができる。これにより、小径のプーリに歯付きベルト１を巻き掛けた際、歯付きベルト１の歯部２とプーリの歯との噛み合いから生じる多角形状を、より円形に近づけることができる。これにより、歯付きベルト１がプーリ間を走行する際の歯付きベルト１の走行ライン（ベルトピッチライン）の上下動を抑制し、歯付きベルト１の走行時におけるベルト速度変動（速度むら）を小さくすることができるとともに、静音性に優れたものにすることができる。
また、心線３を、ガラス繊維フィラメント群（フィラメントの直径が６〜９ミクロン）からなる、線径０．１４〜０．２０ｍｍの撚りコードにすることにより、線径０．２０ｍｍよりも大きいものに比べて歯付きベルト１の屈曲性を高めることができる。これにより、歯付きベルト１を、より小径のプーリ間に低張力で巻き掛けることができる。
加えて、心線３の線径を小さくしているため、歯付きベルト１の背部４を薄くすることが可能となる。これによっても、歯付きベルト１の屈曲性を高めることができる。
また、心線３にガラス繊維フィラメント群を使用することにより、経時的・環境的な歯付きベルト１の寸法安定性を確保することができる。
そして、歯付きベルト１の寸法安定性・屈曲性を高めることにより、小径のプーリ間に歯付きベルト１を低張力で巻き掛けたベルトシステムでも、歯付きベルト１の走行時におけるベルト速度変動を小さくすることができるとともに、静音性に優れたものにすることができる。
【００９１】
また、歯付きベルト１がベルト張力によってプーリ間に巻き掛けられた際の軸荷重が、比較的低い５〜１５Ｎに設定されることにより、プーリの軸に対する負担を低減することができる。プーリの軸に対する負担を低減することができれば、例えば、プーリに取り付ける駆動モータに低出力・小型のタイプのものを使用することができるため、駆動モータの小型化・省電力化が可能となる。
【００９２】
更に、インクジェットプリンタに代表されるキャリッジ駆動やアクチュエーターのようなワークの往復動作を伴う精密駆動に上記歯付きベルト１を使用することによりベルト速度変動（速度むら）を小さくして、印字むら等を引き起こさないように、高精度の位置決めが可能となる。また、上記歯付きベルト１は、ベルト取り付け張力（軸荷重、テンション）が低く設定されても（低張力時においても）、経時的な寸法安定性、屈曲性、耐久性を有することから、プーリに取り付ける駆動モータに低出力・小型のタイプのものを使用することができ、駆動モータの小型化・省電力化、更には、インクジェットプリンタに代表されるキャリッジ駆動装置やアクチュエーター自体の小型化・省電力化が可能となる。
また、軸荷重を、比較的低い５〜１５Ｎに設定しているため、駆動モータ等の振動に起因するベルトを介したベルトシステムの共振等による発音を抑制することができる。
【００９３】
（第２実施例）
本発明の第２実施形態に係る構成を具備する歯付ベルト１を第２実施例とし、評価を行った。
【００９４】
第２実施例の各試験で使用する歯付きベルト１は、ポリウレタン組成物（配合Ａ：ＮＣＯ含有率４．１％のウレタンプレポリマー１００質量部、アミン系硬化剤（ＭＯＣＡ）約１２質量部、可塑剤（フタル酸ジアルキル）約２０質量部、触媒（アゼライン酸）０．２質量部）によって構成した。また、比較例２〜６及び実施例１〜７で使用する心線３は、ポリアリレート繊維フィラメント群を撚り合わせた撚りコードであり、繊度５．５ｄｔｅｘのポリアリレート繊維フィラメント（フィラメント繊度）２０本を束ねて引き揃えたトータル１１０ｄｔｅｘのストランド（原糸）に、所定回数の撚りを与えて、所定の心線径にした（表１１参照）。また、比較例１及び比較例７で使用する心線３は、ガラス繊維フィラメント群を撚り合わせた撚りコードであり、ガラス繊維フィラメント（フィラメント径が９ミクロン）約２００本を束ねて引き揃えたストランド（原糸）に、ウレタン浸漬処理を行なった後、所定回数の撚りを与えて、所定の心線径にした（例えば、撚り数１７回／１０ｃｍの撚りを与えて線径０．１７ｍｍの心線径にするなど。以下、ガラス心線）。また、各比較例及び各実施例に係る歯付きベルト１は上述した方法により製造した。
【００９５】
そして、上記歯付きベルト１に対して、各試験によって条件（歯ピッチの長さ、心線径、心線の種類等）を変えて作成した実施例及び比較例に係る歯付きベルトを用いて各試験を行った。また、参考例１のハス歯歯付きベルト（ハス歯角度１２．５°）についても各試験を行った。なお、実施例１〜７、比較例１〜７、及び、参考例１に係る歯付きベルトの構成条件を表１１に示す。
【００９６】
また、１．速度変動率試験、２．耐久走行試験、３．ベルト寸法安定性試験、４．ベルト屈曲性試験、及び、５．音圧測定試験の試験結果を表１１にまとめて記載している。また、一部の実施例及び比較例に関しては、１．速度変動率試験の試験結果を表１２及び表１３に、２．耐久走行試験の試験結果を表１４に、３．ベルト寸法安定性試験の試験結果を表１５に、４．ベルト屈曲性試験の試験結果を表１６及び表１７に、５．音圧測定試験の試験結果を表１８に示し、詳細に比較検討した。
【００９７】
【表１１】
0006530276.tif 000012
【００９８】
速度変動率試験では、表１２に示すように、比較例１、比較例２、実施例３、実施例４、実施例６、比較例５、及び、比較例６の歯付きベルトに対して、軸荷重を５Ｎ、１０Ｎ、１５Ｎ、２０Ｎに設定した場合のベルト速度変動率を算出し、評価した。また、評価基準としては、ベルト速度変動率が０．４０％以下である場合を良好（〇）とし、０．４０％を超えた場合を不良（×）とした。ここで、評価基準として、ベルト速度変動率が０．４０％以下である場合を良好と判断しているのは、低出力・小型タイプのモータの使用を前提としたプリンターキャリッジ駆動等に歯付きベルトを使用する際に、ベルト速度変動率が０．４０％以下である場合に、プリンターキャリッジ駆動に関して高精度な位置決めを担保でき、印字むらを引き起こさないからである。表１２に速度変動率試験の結果をまとめた表を示す。また、図９に速度変動率試験における実施例及び比較例に係る歯付きベルト１の軸荷重とベルト速度変動率との関係をグラフ化した図を示す。
【００９９】
【表１２】
0006530276.tif 000013
【０１００】
上記速度変動率試験によれば、いずれの比較例及び実施例の試験結果においても（心線３の種類、歯ピッチの大きさに関係なく）、歯付きベルト１の走行時の軸荷重が減少するほど、ベルト速度変動率は増加したことが分かる（図９参照）。
【０１０１】
また、表１２及び図９に示すように、比較例１と実施例３に関して、歯ピッチ０．５０８ｍｍ、及び、心線径０．１７ｍｍを同条件にして、心線３の種類をガラス心線（比較例１）とポリアリレート心線（実施例３）にした。比較例１と実施例３とを比べると、ポリアリレート心線（実施例３）の方が、どの軸荷重（５Ｎ、１０Ｎ、１５Ｎ、２０Ｎ）においても、ガラス心線（比較例１）よりもベルト速度変動率が小さかったことが分かる。従って、低張力領域（５〜１５Ｎ）においても、ポリアリレート心線を採用した方がガラス心線を採用した場合よりもベルト速度変動率を抑制できる。これは、後述するベルト屈曲性試験の結果から分かるように、ポリアリレート心線を採用した歯付きベルト１の方が、ガラス心線を採用した歯付きベルト１よりも屈曲性（しなやかさ）に優れているからであると考えられる。
【０１０２】
また、速度変動率試験では、表１１に示すように、比較例１〜７、実施例１〜７及び参考例１の歯付きベルト１に対して、軸荷重を５Ｎに設定した場合のベルト速度変動率を算出し、評価した。なお、表１３に、比較例２、実施例１、実施例３、実施例４、実施例５、実施例６、比較例５、及び、比較例６のポリアリレート心線を採用した歯付きベルト１に対して、軸荷重を５Ｎに設定した場合のベルト速度変動率を算出し、評価した結果をまとめて記載している。また、図１０に、表１３における実施例及び比較例に係るポリアリレート心線を採用した歯付きベルト１の歯ピッチとベルト速度変動率との関係をグラフ化した図として示す。
【０１０３】
【表１３】
0006530276.tif 000014
【０１０４】
表１３及び図１０の速度変動率試験によれば、歯ピッチが小さくなるほど、ベルト速度変動率は減少した。そして、歯ピッチを、０．４００ｍｍ（比較例２）、０．４５０（実施例１）、０．５０８ｍｍ（実施例３）、０．６００ｍｍ（実施例４）、０．６５０ｍｍ（実施例５）、０．７０６ｍｍ（実施例６）に設定した場合には、軸荷重を５Ｎに設定した場合のベルト速度変動率は０．４０％以下となり、評価は良好（〇）であった。
【０１０５】
上記速度変動率試験より、歯ピッチを少なくとも０．４００ｍｍ〜０．７１０ｍｍの範囲（図１０参照）に設定することにより、軸荷重を５Ｎ〜２０Ｎにした場合でも、ベルト速度変動率が０．４０％以下となり、評価を良好（〇）とすることができた。
【０１０６】
ここで、軸荷重が５Ｎ未満ではベルト張力が弱すぎて、歯付きベルト１をプーリ間に掛架できず、プーリ間における同期伝動性能を十分に発揮できない。一方、１５Ｎは、低出力・小型タイプのモータを装置の駆動用に採用し得る軸荷重の最大値とされ、軸荷重が１５Ｎより大きいと、低出力・小型タイプのモータ軸に過剰な負荷がかかり、モータのトルク性能を十分に発揮できない。
従って、実施例の歯付きベルト１は、軸荷重を５Ｎ〜１５Ｎにした場合であっても、ベルト速度変動率の評価を良好（〇）とすることができたことにより、例えば、駆動プーリ５に取り付ける駆動モータに、低出力・小型タイプのものを採用しやすいというメリットが生じる。
【０１０７】
なお、歯ピッチを０．４００ｍｍ（比較例２）にした場合、ベルト速度変動率の評価は良好（〇）であるが、後述する耐久走行試験では、歯元クラックが生じてしまうため、総合判定は不良（×）となる。
【０１０８】
耐久走行試験では、表１１に示すように、比較例１〜７及び実施例１〜７の歯付きベルトに対して試験を行った。表１４に、比較例３（心線径０．１２ｍｍ）、実施例２（心線径０．１４ｍｍ）、実施例３（心線径０．１７ｍｍ）、実施例６（心線径０．２４ｍｍ）、実施例７（心線径０．２８ｍｍ）、比較例４（心線径０．３０ｍｍ）の歯付きベルト１に対して行った耐久走行試験の試験結果を示す。
【０１０９】
【表１４】
0006530276.tif 000015
【０１１０】
上記耐久走行試験によれば、実施例２（心線径０．１４ｍｍ）、実施例３（心線径０．１７ｍｍ）、実施例６（心線径０．２４ｍｍ）、実施例７（心線径０．２８ｍｍ）では、評価が最良好（◎）となった。一方、比較例３（心線径０．１２ｍｍ）では、歯付きベルト１の歯部２が欠けてしまい、耐久性が劣る結果（×）になった。また、比較例４（心線径０．３０ｍｍ）では、歯付きベルト１のベルト引張強さの残存率が７３．５％となり、心線の屈曲疲労が大きくなってしまい、評価は不良（×）になった。
【０１１１】
上記より、ポリアリレート心線の線径は、少なくとも０．１４ｍｍ〜０．２８ｍｍの範囲にあれば、歯ピッチを比較的小さくした場合でも耐久性を担保することができることが分かる。
【０１１２】
また、表１１に示すように、比較例２（歯ピッチ：０．４００ｍｍ）の歯付きベルト１に対する耐久走行試験では、歯元クラックが発生し、耐久性が劣る評価（×）となった。これは、歯ピッチが小さくなり過ぎると、プーリの歯と歯付きベルトの歯とのかみ合い負荷に対する、歯部の一つあたりに必要とされる剛性を確保することができなくなったからだと推察される。
【０１１３】
表１５に、比較例１（ガラス心線）に係る歯付きベルト１、実施例３（ポリアリレート心線）に係る歯付きベルト１のベルト寸法安定性試験結果を示す。また、図１１に比較例１及び実施例３に係る歯付きベルト１における、経過日数と軸間距離変化率との関係を示す。
【０１１４】
【表１５】
0006530276.tif 000016
【０１１５】
上記ベルト寸法安定性試験より、比較例１〜７及び実施例１〜７のいずれの歯付きベルト１においても、経過日数１０日での軸間距離変化率（絶対値）が０．０２％以下であり良好（〇）と評価された。これにより、歯付きベルト１に、線径が０．１４〜０．２８ｍｍの比較的細径のポリアリレート心線を採用した場合でも、軸間距離変化率にほとんど変化がなく、歯付きベルト１の寸法安定性は十分に確保されていたことが分かる。また、表１５及び図１１より、心線３にポリアリレート心線を使用した場合でも、心線３にガラス心線を使用した場合と同等の寸法安定性が確保されていたことが分かる。
【０１１６】
表１６に、比較例７、比較例１及び実施例３に係る歯付きベルト１に関して、軸荷重を５Ｎ、１０Ｎ、２０Ｎ、３０Ｎにした場合の起動トルクを測定した結果を示す。また、表１７に、比較例７、比較例１及び実施例３に係る歯付きベルト１に関して、ベルト構成、軸荷重を１０Ｎにした場合の起動トルク、及び、評価をまとめた表を示す。また、図１２に、比較例７、比較例１及び実施例３に係る歯付きベルトに関して、軸荷重と起動トルクとの関係をグラフ化した図を示す。
【０１１７】
【表１６】
0006530276.tif 000017
【０１１８】
【表１７】
0006530276.tif 000018
【０１１９】
表１６、表１７及び図１２に示すように、比較例７と比較例１とのガラス心線間の比較において、心線３が細径の方が、低張力領域（５〜１５Ｎ）においても起動トルクが低かった。これは、心線３が細径の方が、ベルトの屈曲性が高く、しなやかであることを示す。
【０１２０】
また、比較例１（ガラス心線）と実施例３（ポリアリレート心線）とを比較すると、ポリアリレート心線を用いた歯付きベルト１の方が、ガラス心線を用いた歯付きベルト１よりも起動トルクが顕著に低かったことが分かる。ここで、歯付きベルト１の起動トルクが低い場合、歯付きベルト１の屈曲性が高い、つまりは、起動トルクが低いポリアリレート心線を用いた歯付きベルト１は、起動時の動力伝達性能に優れるということが分かる。従って、心線３にガラス心線を用いた歯付きベルト１よりも、心線３にポリアリレート心線を用いた歯付きベルト１の方が、歯付きベルト１の屈曲性が高く、しなやかで起動時の動力伝達性能に優れるということが分かる。
【０１２１】
また、歯付きベルト１の屈曲性が高いと、軸荷重を５Ｎ〜１５Ｎ（低張力）にした場合であっても、起動トルクは低くなる傾向にあった。
従って、屈曲性に優れ、起動トルクが低いベルトは、（駆動プーリ５の軸に取り付けた駆動モータを）起動し易く、起動時の動力伝達性に優れるとともに、より小型で低出力の駆動モータの採用、ひいては、駆動モータの小型・軽量化、省電力化に貢献することができる。
【０１２２】
音圧測定試験では、比較例７、参考例１、比較例１、実施例３に記載の歯付きベルトを使用して実験を行った。表１８に、比較例７、参考例１、比較例１、実施例３の歯付きベルトに対して行った音圧測定試験の試験結果を示す。また、図１８に、比較例７、参考例１、比較例１、実施例３の歯付ベルトに関して、軸荷重５Ｎ時のベルトからの音圧レベルの値をグラフ化して記載している。また、表１９に、比較例７、参考例１、比較例１、実施例３の歯付きベルトに対して行った音圧測定試験の評価結果を示す。また、参照用に、比較例７、参考例１、比較例１、実施例３の歯付ベルトに対して、軸荷重を５Ｎ、１０Ｎ、１５Ｎ、２０Ｎに設定した場合のベルト速度変動率の測定結果を表２０にまとめた（図１６に測定結果をグラフ化したものを記載）。
【０１２３】
【表１８】
0006530276.tif 000019
【０１２４】
【表１９】
0006530276.tif 000020
【０１２５】
【表２０】
0006530276.tif 000021
【０１２６】
上記音圧測定試験結果、及び、ベルト速度変動率の測定結果によれば、直歯歯付きベルト間の比較（比較例７と比較例１と実施例３との比較）では、軸荷重５〜２０Ｎの各軸荷重において、ベルトからの音圧レベルの優劣関係は、速度変動率の優劣関係と一致する結果となった。即ち、実施例３の歯付ベルトをプーリ間に掛架したベルトシステムでは、ベルト取り付け張力（軸荷重、テンション）が低く設定されても、経時的な寸法安定性、屈曲性、耐久性を有するとともに、ベルト速度変動を抑制することができ、しかも、比較例７及び比較例１に比べて静音性に優れていることが分かった。
【０１２７】
また、静音性に優れるとされる参考例１のハス歯歯付きベルトを加えた場合の比較（参考例１と実施例３との比較）に関して、軸荷重１５Ｎでは、参考例１のベルトからの音圧レベルの方が、実施例３のベルトからの音圧レベルよりも低く、静音性に優れていた。しかし、軸荷重５Ｎ、１０Ｎ、２０Ｎ時においては、ベルトからの音圧レベルの優劣関係は、速度変動率の優劣関係と一致する結果となり、実施例３のベルトからの音圧レベルの方が、参考例１のベルトからの音圧レベルよりも低く、静音性に優れていた。これにより、プーリ間における同期伝動が可能なベルトシステムにおいて、ベルト取り付け張力の設定が最も低い軸荷重５Ｎ時、更には、軸荷重１０Ｎ、２０Ｎの場合に、耐久性が懸念されるハス歯歯付きベルトとしなくても、直歯歯付きベルトで更に小歯ピッチ化することにより、経時的な寸法安定性、屈曲性、耐久性を有するとともに、ベルト速度変動を抑制することができ、しかも、静音性に優れたベルトシステムおよびその歯付きベルトを提供することができることがわかった。
【０１２８】
（総合判定）
上記１．速度変動率試験、２．耐久走行試験、３．ベルト寸法安定性試験、４．ベルト屈曲性試験、及び、５．音圧測定試験の結果、速度変動率試験でのベルト速度変動率の評価を良好（〇）とし、耐久走行試験での評価を最良好（◎）とし、ベルト寸法安定性試験の結果を良好（○）とし、ベルト屈曲性試験で良好（○）とし、音圧測定試験の結果を良好（○）と評価された歯付きベルト１の条件をまとめると、歯部と歯部との間のピッチは０．４５〜０．７１ｍｍであり、心線３は、ポリアリレート繊維フィラメント群からなる撚りコードとして、心線３の線径が０．１４〜０．２８ｍｍであることが分かる。
【０１２９】
上記構成によれば、歯部２と歯部２との間のピッチを０．４５〜０．７１ｍｍに設定しているため、歯付きベルト１の歯数を、歯部２のピッチが０．７１ｍｍよりも大きいものに比べて増やすことができる。これにより、小径のプーリに歯付きベルト１を巻き掛けた際、歯付きベルト１の歯部２とプーリの歯との噛み合いから生じる多角形状を、より円形に近づけることができる。これにより、歯付きベルト１がプーリ間を走行する際の歯付きベルト１の走行ライン（ベルトピッチライン）の上下動を抑制し、歯付きベルト１の走行時におけるベルト速度変動（速度むら）を小さくすることができるとともに、静音性に優れたものにすることができる。
また、心線３を、ポリアリレート繊維フィラメント群からなる、線径０．１４〜０．２８ｍｍの撚りコードにすることにより、線径０．２８ｍｍよりも大きいものに比べて歯付きベルトの屈曲性を高めることができる。これにより、歯付きベルト１を、より小径のプーリ間に低張力で巻き掛けることができる。
加えて、心線３の線径を小さくしているため、歯付きベルト１の背部４を薄くすることが可能となる。これによっても、歯付きベルト１の屈曲性を高めることができる。
また、心線３にポリアリレート繊維フィラメント群を使用することにより、経時的・環境的な歯付きベルト１の寸法安定性を確保することができる。
そして、歯付きベルト１の寸法安定性・屈曲性を高めることにより、小径のプーリ間に歯付きベルト１を低張力で巻き掛けたベルトシステムでも、歯付きベルト１の走行時におけるベルト速度変動を小さくすることができるとともに、静音性に優れたものにすることができる。
また、歯付きベルト１の寸法安定性・屈曲性を高めることにより、（駆動プーリの軸に取り付けた駆動モータの）起動トルクを低くすることができ、起動時の動力伝達性を高めることができる。
【０１３０】
また、歯付きベルト１がベルト張力によってプーリ間に巻き掛けられた際の軸荷重が、比較的低い５〜１５Ｎに設定されることにより、プーリの軸に対する負担を低減することができる。プーリの軸に対する負担を低減することができれば、例えば、プーリに取り付ける駆動モータに低出力・小型のタイプのものを使用することができるため、駆動モータの小型化・省電力化が可能となる。
【０１３１】
更に、インクジェットプリンタに代表されるキャリッジ駆動やアクチュエーターのようなワークの往復動作を伴う精密駆動に上記歯付きベルト１を使用することによりベルト速度変動（速度むら）を小さくして、印字むら等を引き起こさないように、高精度の位置決めが可能となる。また、上記歯付きベルト１は、ベルト取り付け張力（軸荷重、テンション）が低く設定されても（低張力時においても）、経時的な寸法安定性、屈曲性、耐久性を有することから、プーリに取り付ける駆動モータに低出力・小型のタイプのものを使用することができ、駆動モータの小型化・省電力化、更には、インクジェットプリンタに代表されるキャリッジ駆動装置やアクチュエーター自体の小型化・省電力化が可能となる。
また、軸荷重を、比較的低い５〜１５Ｎに設定しているため、駆動モータ等の振動に起因するベルトを介したベルトシステムの共振等による発音を抑制することができる。
【０１３２】
（その他の実施形態）
プーリ間における同期伝動が可能なベルトシステムとして、実施例では、二軸レイアウトで、かつ各プーリの、歯形（歯の種別）、歯数、歯ピッチ、ピッチ円直径は同一としたが、これに限定することなく、二軸以上の多軸レイアウトであってもよく、また、各プーリは、歯形（歯の種別）、歯ピッチが共通であればよく、歯数、ピッチ円直径が異なっていてもよい。
【符号の説明】
【０１３３】
１  歯付きベルト
２  歯部
３  心線
４  背部
５  駆動プーリ
６  従動プーリ
【図１】
0006530276.tif 000022
【図２】
0006530276.tif 000023
【図３】
0006530276.tif 000024
【図４】
0006530276.tif 000025
【図５】
0006530276.tif 000026
【図６】
0006530276.tif 000027
【図７】
0006530276.tif 000028
【図８】
0006530276.tif 000029
【図９】
0006530276.tif 000030
【図１０】
0006530276.tif 000031
【図１１】
0006530276.tif 000032
【図１２】
0006530276.tif 000033
【図１３】
0006530276.tif 000034
【図１４】
0006530276.tif 000035
【図１５】
0006530276.tif 000036
【図１６】
0006530276.tif 000037
【図１７】
0006530276.tif 000038
【図１８】
0006530276.tif 000039